(57)【要約】【課題】      逆転防止体と係止部材で一方向回転規制装置を構成して容易に釣糸の垂らし長さの調節作業ができる魚釣用スピニングリ−ルを提供することである。【解決手段】  スプ−ル４の前側壁板４ａの前側にＣ字形の突堤４ｇと突堤４ｇの複数箇所にネジ孔４ｈが形成されている。  突堤４ｇの内側には爪車からなる逆転防止体５がスプ−ル軸１１に回り止め嵌合されている。  突堤４ｇの切欠き部の外側の前側壁板４ａに係止部材６がビス１９で回動自在に取り付けられて発条２０で係止部６ａが逆転防止体５の歯部５ａに係止されるように付勢されている。  前記スプ−ル軸１１に回り止めした逆転防止体５とスプ−ル４の前側壁板４ａに取り付けた係止部材６で一方向回転規制装置Ａが構成されている。【選択図】        図５
2005102585.tif 000002
【特許請求の範囲】
【請求項１】
リ−ル本体に設けたハンドルの回転操作で連動回転するロ−タの釣糸案内部を介してスプ−ルに釣糸を巻回する魚釣用スピニングリ−ルにおいて、前記スプ−ルと該スプ−ルを支持するスプ−ル軸との間に、係止部材と該係止部材が係止する係止部を周方向に複数形成した逆転防止体とで形成される一方向回転規制装置を設け、前記スプ−ルをスプ−ル軸に釣糸巻き取り方向のみ回転可能に取り付けたことを特徴とする魚釣用スピニングリ−ル。
【請求項２】
一方向回転規制装置が、複数の係止部材を逆転防止体に係止させることで構成されていることを特徴とする請求項１記載の魚釣用スピニングリ−ル。
【請求項３】
一方向回転規制装置が、スプ−ルの前部とスプ−ル軸との間に設けられていることを特徴とする請求項１又は２に記載の魚釣用スピニングリ−ル。
【発明の詳細な説明】
【技術分野】
【０００１】
本発明は、ハンドル操作で連動回転するロ−タの釣糸案内部を介してスプ−ルに釣り糸を巻回する魚釣用スピニングリ−ルの改良に関する。
【背景技術】
【０００２】
従来魚釣用スピニングリ−ルを投げ釣りとして用いる場合、釣糸先端部に仕掛けを有する錘は、釣竿の先端部から所定の長さを垂らしてから釣糸放出操作を行う。
この垂らし長さは、遠投距離を出す意味においても重要で、この垂らし長さを一度の設定で決定することは難しく、釣人は釣糸放出操作前に、スプ−ル前部のツマミを外し、スプ−ルをスプ−ル軸より取り外して釣糸を所望の竿先からの垂らし長さに相当する量を繰り出し、再度スプ−ルをスプ−ル軸にセットする等の作業を行っていた。
この垂らし長さの調節作業を、スプ−ルを取り外すことなく容易に行えるようにするために、スプ−ル軸にロ−ラ型のワンウェイクラッチを介してスプ−ルを取り付け、スプ−ルを巻き取り方向に回転可能にかつ糸繰り出し方向に回転不能に取り付けるようにしたものが、従来から知られている。（例えば、特許文献１）
【特許文献１】実用新案登録第２５１６０３１号
【発明の開示】
【発明が解決しようとする課題】
【０００３】
解決しようとする問題点は、前記特許文献１のロ−ラ型のワンウェイクラッチは、回転体の周面に接触するロ−ラの楔作用を利用して一方向の回転を阻止する構成であるために、釣糸放出操作時の高負荷が、ワンウェイクラッチのロ−ラの楔作用部に瞬時に集中的に掛かるために滑り現象が発生し易く、スプ−ルが空転する危険があり、釣糸放出操作に支障を来す可能性がある。
又、楔作用するロ−ラは、特に材料的に高硬度が要求されることより腐食し易く、海水、異物等を多量に含んだ釣糸が巻回されるスプ−ル回りへの使用は、安定した楔作用を常時維持できず、耐久性及び信頼性の面で課題を残している。
【０００４】
本発明の目的は前記欠点に鑑み、逆転防止体と係止部材で一方向回転規制装置を構成して容易に垂らし長さの調節作業ができる魚釣用スピニングリ−ルを提供することである。
【課題を解決するための手段】
【０００５】
本発明の請求項１は、リ−ル本体に設けたハンドルの回転操作で連動回転するロ−タの釣糸案内部を介してスプ−ルに釣糸を巻回する魚釣用スピニングリ−ルにおいて、前記スプ−ルと該スプ−ルを支持するスプ−ル軸との間に、係止部材と該係止部材が係止する係止部を周方向に複数形成した逆転防止体とで形成される一方向回転規制装置を設け、前記スプ−ルをスプ−ル軸に釣糸巻き取り方向のみ回転可能に取り付けたことを要旨とするものである。
本発明の請求項２は、一方向回転規制装置が、複数の係止部材を逆転防止体に係止させることで構成されていることを要旨とするものである。
本発明の請求項３は、一方向回転規制装置が、スプ−ルの前部とスプ−ル軸との間に設けられていることを要旨とするものである。
【発明の効果】
【０００６】
請求項１の本発明により、一方向回転規制装置によって釣糸の引出し時に対するスプ−ル逆止め強度の維持を図りながら、スプ−ルを外すことなく竿先からの所望の垂らし長さに、スプ−ルを巻き取り方向に回転して補助的に釣糸をスプ−ルに巻回することで容易に行える。
請求項２の本発明により、一方向回転規制装置の２組の係止部材を位相を異ならしめて逆転防止体の歯部に係止できるので、微妙な垂らし長さの調節が可能になる。
請求項３の本発明により、一方向回転規制装置をスプ−ルの前部に設け、ロ−タの前部が嵌入するスプ−ルの後部のスペ−スにワンウェイクラッチの一方向回転規制装置を設けることの制約を受けることがないので、スプ−ル後部内の肉薄化による軽量化が可能となる。
【発明を実施するための最良の形態】
【０００７】
スプ−ル４の前側壁板４ａの前側にＣ字形の突堤４ｇと突堤４ｇの複数箇所にネジ孔４ｈが形成されている。
突堤４ｇの内側には爪車からなる逆転防止体５がスプ−ル軸１１に回り止め嵌合されている。
突堤４ｇの切欠き部の外側の前側壁板４ａに係止部材６がビス１９で回動自在に取り付けられて発条２０で係止部６ａが逆転防止体５の歯部５ａに係止されるように付勢されている。
前記スプ−ル軸１１に回り止めした逆転防止体５とスプ−ル４の前側壁板４ａに取り付けた係止部材６で一方向回転規制装置Ａが構成されている。
【実施例１】
【０００８】
以下、図示の実施例によって本発明を説明すると、図１から図７は第１実施例で、図１は魚釣用スピニングリ−ルの側面図、図２は魚釣用スピニングリ−ルの要部断面側面図、図３はスプ−ルの要部分解断面側面図、図４はスプ−ルとロ−タの正面図、図５はスプ−ルの要部拡大正面図、図６は釣糸を竿先から長めに垂らした時の側面図、図７は釣糸の垂らし長さが調整された後の側面図である。
【０００９】
魚釣用スピニングリ−ルは、リ−ル本体１の前部の回転軸筒２の前端にロ−タ３の中心筒部３ａが回り止め嵌合されてナット１０で取り付けられている。
回転軸筒２の中心透孔には前側にスプ−ル４が取り付けられたスプ−ル軸１１が前後往復動可能に摺動自在に挿入されている。
回転軸筒２の図示しない基端外周に図示しないピニオンが形成されてピニオンに図示しない駆動歯車が噛合されている。
ロ−タ３は駆動歯車に取り付けられたハンドル１２の回転で駆動歯車とピニオンと回転軸筒２を介して回転される。
【００１０】
ロ−タ３は中心筒部３ａで回転軸筒２に取り付けられ、筒部３ａと連結部３ｂと大径の筒部３ｃと大径の筒部３ｃの基部の外周から前方に向けて突出された一対の支持ア−ム３ｄ、３ｅとで形成されて支持ア−ム３ｄの前部に一方のベ−ル支持部材１３が図示しないビスで止められ、支持ア−ム３ｅの前部に他方のベ−ル支持部材１４が図示しないビスで止められて図１の釣糸巻取位置と図示しない釣糸放出位置に反転自在に軸承されている。
一方のベ−ル支持部材１３にはベ−ル取付部１５とロ−ラからなる釣糸案内部１６が取り付けられている。
他方のベ−ル支持部材１４とベ−ル取付部１５の間にベ−ル１７が取り付けられている。
【００１１】
スプ−ル４は前側壁板４ａと壁板４ａ裏面のスプ−ル軸取付部４ｂと外側の前側鍔部４ｃと釣糸１８が巻回される釣糸巻回胴部４ｄと後側鍔部４ｅと円筒部４ｆとで形成されている。
スプ−ル軸取付部４ｂの中心透孔にスプ−ル軸１１が回り止め嵌合されている。
前側壁板４ａの前側にＣ字形の突堤４ｇと突堤４ｇの複数箇所にネジ孔４ｈが形成されている。
突堤４ｇの内側には爪車からなる逆転防止体５がスプ−ル軸１１に回り止め嵌合されている。
【００１２】
突堤４ｇの切欠き部の外側の前側壁板４ａに係止部材６がビス１９で回動自在に取り付けられて発条２０で係止部６ａが逆転防止体５の歯部５ａに係止されるように付勢されている。
突堤４ｇの前側には環状のカバ−２１がネジ孔４ｈに螺合されたビス２２で取り付けられている。
逆転防止体５の前側に突出したスプ−ル軸１１にはカバ−ツマミ２３が螺合されている。
前記スプ−ル軸１１に回り止めした逆転防止体５とスプ−ル４の前側壁板４ａに取り付けた係止部材６で一方向回転規制装置Ａが構成されている。
【００１３】
魚釣用スピニングリ−ルの動作は、釣糸１８がスプ−ル４に巻回される方向にハンドル１２が回転されると、図示しない駆動歯車と図示しないピニオンと回転軸筒２を介してロ−タ３が正回転される。
この時ロ−タ３は図４で時計方向に回転される。
釣糸１８がスプ−ル４に巻回される時は、一方のベ−ル支持部材１３に設けられたロ−ラからなる釣糸案内部１６で釣糸１８が案内されて前後に往復動されるスプ−ル４に平行に巻回される。
【００１４】
釣糸１８の先に取り付けられた仕掛２４が投擲されるときは、スプ−ル４と釣糸案内部１６の間の釣糸１８に指が掛けられてベ−ル１７が起こされて一方のベ−ル支持部材１３と他方のベ−ル支持部材１４が釣糸放出位置に反転されると共に釣糸案内部１６がリ−ル本体１の脚部側の上方に引き上げられ、投擲される。
一方のベ−ル支持部材１３と他方のベ−ル支持部材１４が釣糸放出位置から釣糸巻取位置に反転される時は、ハンドル１２が回転されてロ−タ３が時計方向に正回転されると、脚部側に設けられた衝接部に一方のベ−ル支持部材１３が衝接されて釣糸巻取位置に反転復帰される。
【００１５】
釣糸１８の先に取り付けられた仕掛２４が投擲されるときの竿先からの釣糸１８の垂らし長さの調節作業は、図６のように釣糸１８の垂らし長さＬが長すぎた時は、スプ−ル４の前側鍔部４ｃを手でつかんで図４で反時計方向Ｂに回動することで調整される。
この時スプ−ル４が反時計方向Ｂに回動されると、スプ−ル軸１１と逆転防止体５に対して係止部材６が反時計方向Ｂに回動される。
スプ−ル４と係止部材６は反時計方向Ｂの回動は可能であるが、時計方向Ｃの回動は不可である。
スプ−ル４が反時計方向Ｂに回動されると、スプ−ル４に釣糸１８が巻き込まれて垂らし長さを図６の長さＬから図７の長さＬ′のように短く適正にすることが容易にできる。
【００１６】
前記のように魚釣用スピニングリ−ルが構成されると、一方向回転規制装置Ａによって釣糸１８の引出し時に対するスプ−ル逆止め強度の維持を図りながら、スプ−ル４を外すことなく竿先からの所望の垂らし長さに、スプ−ル４を巻き取り方向に回転して補助的に釣糸をスプ−ル４に巻回することで容易に行える。
一方向回転規制装置Ａをスプ−ル４の前部に設け、ロ−タの前部が嵌入するスプ−ルの後部のスペ−スにワンウェイクラッチの一方向回転規制装置を設けることの制約を受けることがないので、スプ−ル後部内の肉薄化による軽量化が可能となる。
【実施例２】
【００１７】
図８、図９は第２実施例で、図８はスプ−ルとロ−タの正面図、図９はスプ−ルの要部拡大正面図である。
【００１８】
第２実施例では、前側壁板４ａに２組の係止部材６、６が夫々ビス１９、１９で回動自在に取り付けられて発条２０、２０で係止部６ａ、６ａが逆転防止体５の歯部５ａに係止されるように付勢された一方向回転規制装置Ａが構成されている。
２組の係止部材６、６のうち一方が逆転防止体５の歯部５ａに係止される時、他方の係止部材６は逆転防止体５の歯部５ａから離間するように位相を変えて係止するようにするとよい。
他の構成は前記第１実施例と略同一である。
【００１９】
第２実施例のように一方向回転規制装置Ａの２組の係止部材６を位相を異ならしめて逆転防止体５の歯部５ａに係止できるので、微妙な垂らし長さの調節が可能になる。
【実施例３】
【００２０】
図１０、図１１は第３実施例で、図１０は魚釣用スピニングリ−ルの要部断面側面図、図１１はスプ−ルの要部分解断面側面図である。
【００２１】
第３実施例では、前側壁板４ａに２組の係止部材６、６がビス１９で回動自在に取り付けられて第２実施例と同様に発条２０、２０で係止部６ａ、６ａが２組の逆転防止体５、５の歯部５ａ、５ａに夫々係止されるように付勢された一方向回転規制装置Ａが構成されている。
２組の係止部材６、６のうち一方が一方の逆転防止体５の歯部５ａに係止される時、他方の係止部材６は他方の逆転防止体５の歯部５ａから離間するように位相を変えて係止するようにするとよい。
他の構成は前記第１実施例と略同一である。
【図面の簡単な説明】
【００２２】
【図１】第１実施例で、魚釣用スピニングリ−ルの側面図である。
【図２】同魚釣用スピニングリ−ルの要部断面側面図である。
【図３】同スプ−ルの要部分解断面側面図である。
【図４】同スプ−ルとロ−タの正面図である。
【図５】同スプ−ルの要部拡大正面図である。
【図６】同釣糸を竿先から長めに垂らした時の側面図である。
【図７】同釣糸の垂らし長さが調整された後の側面図である。
【図８】第２実施例で、スプ−ルとロ−タの正面図である。
【図９】同スプ−ルの要部拡大正面図である。
【図１０】第３実施例で、魚釣用スピニングリ−ルの要部断面側面図である。
【図１１】同スプ−ルの要部分解断面側面図である。
【符号の説明】
【００２３】
Ａ  一方向回転規制装置
１  リ−ル本体
３  ロ−タ
４  スプ−ル
５  逆転防止体
６  係止部材
６ａ  係止部
１１  スプ−ル軸
１２  ハンドル
１８  釣糸
【図１】
2005102585.tif 000003
【図２】
2005102585.tif 000004
【図３】
2005102585.tif 000005
【図４】
2005102585.tif 000006
【図５】
2005102585.tif 000007
【図６】
2005102585.tif 000008
【図７】
2005102585.tif 000009
【図８】
2005102585.tif 000010
【図９】
2005102585.tif 000011
【図１０】
2005102585.tif 000012
【図１１】
2005102585.tif 000013